(57)【特許請求の範囲】
【請求項１】
ボトル容器の首部に取り付けて使用する板紙製の表示具であって、中央の前面パネルの両側にそれぞれ折罫を介して上面パネルと下面パネルが連接し、上面パネルには折罫を介して後面上方パネルが連接し、下面パネルには折罫を介して後面下方パネルが連接した形状になった表示領域と、表示領域の後面上方パネルに折罫を介して連接し、相対する位置に一対の係止片を残した状態で差込み孔が形成された上側差込み板からなる一方の差込み領域と、表示領域の後面下方パネルに折罫を介して連接し、後面下方パネルと一体となった係止片を残した状態で差込み孔が形成された下側差込み板からなる他方の差込み領域とを備えてなる一枚のブランクを折り曲げるだけで形成され、表示領域にある折罫をそれぞれ山折りすることで当該表示領域により形成された箱型の表示部と、表示領域と双方の差込み領域との間の折罫をそれぞれ谷折りすることで上側差込み板と下側差込み板により形成され前記表示部の後側から突き出る２枚重ねの差込み部とを有し、差込み部には上側差込み板の差込み孔と下側差込み板の差込み孔とが重なった状態でボトル容器の首部が挿入可能な差込み孔が設けられ、その差込み孔の周りには上側差込み板の差込み孔から突き出る２つの係止片と後面下方パネルと一体となった１つの係止片とからなる３つの上向きの係止片が設けられていることを特徴とする表示具。
【請求項２】
差込み部を表示部の後側の中央より下から突き出るようにしたことを特徴とする請求項１に記載の表示具。
【請求項３】
表示部の前面に窓孔を設けたことを特徴とする請求項１又は２に記載の表示具。
【発明の詳細な説明】
【０００１】
【発明の属する技術分野】
本発明は、ペットボトルや瓶などのボトル容器の首部に取り付けて使用する表示具に関するものである。
【０００２】
【従来の技術】
従来、ボトル容器を店頭に陳列した際のアイキャッチ効果を狙って、そのボトル容器の首部に表示具を取り付けることが行われている。そのような表示具の一つとして、板紙を折り曲げて表示部と差込み部を形成するとともに、差込み部にボトル容器の首部に挿入可能な差込み孔を設けたものがある（例えば、実公昭６３−１５８８８号公報参照）。
【０００３】
【発明が解決しようとする課題】
従来の技術で述べた板紙製の表示具は、使用時には差込み部の差込み孔をボトル容器の首部に通して吊り下げるようになっている。このため、ペットボトルのように上部付近までラベルがあるボトル容器では、前面上部が隠れて見えなくなるという問題があった。また、表示具に景品や試供品等を付ける場合があるが、表示部の表側に接着剤やホッチキスで添付するので、納まりが悪くスマートではないという欠点があった。
【０００４】
本発明は、このような事情に鑑みてなされたものであり、その目的とするところは、景品や試供品等を納まり良く添付することができ、しかもボトル容器の表示が隠れないようにした表示具を提供することにある。
【０００５】
【課題を解決するための手段】
請求項１に記載の発明である表示具は、ボトル容器の首部に取り付けて使用する板紙製の表示具であって、中央の前面パネルの両側にそれぞれ折罫を介して上面パネルと下面パネルが連接し、上面パネルには折罫を介して後面上方パネルが連接し、下面パネルには折罫を介して後面下方パネルが連接した形状になった表示領域と、表示領域の後面上方パネルに折罫を介して連接し、相対する位置に一対の係止片を残した状態で差込み孔が形成された上側差込み板からなる一方の差込み領域と、表示領域の後面下方パネルに折罫を介して連接し、後面下方パネルと一体となった係止片を残した状態で差込み孔が形成された下側差込み板からなる他方の差込み領域とを備えてなる一枚のブランクを折り曲げるだけで形成され、表示領域にある折罫をそれぞれ山折りすることで当該表示領域により形成された箱型の表示部と、表示領域と双方の差込み領域との間の折罫をそれぞれ谷折りすることで上側差込み板と下側差込み板により形成され前記表示部の後側から突き出る２枚重ねの差込み部とを有し、差込み部には上側差込み板の差込み孔と下側差込み板の差込み孔とが重なった状態でボトル容器の首部が挿入可能な差込み孔が設けられ、その差込み孔の周りには上側差込み板の差込み孔から突き出る２つの係止片と後面下方パネルと一体となった１つの係止片とからなる３つの上向きの係止片が設けられていることを特徴としている。
【０００６】
請求項２に記載の発明である表示具は、請求項１に記載の表示具において、差込み部を表示部の後側の中央より下から突き出るようにしたことを特徴としている。
【０００７】
請求項３に記載の発明である表示具は、請求項１又は２に記載の表示具において、表示部の前面に窓孔を設けたことを特徴としている。
【０００８】
【発明の実施の形態】
以下、具体例を挙げて本発明の実施の形態について説明する。
【０００９】
図１は本発明に係る表示具の一例を斜め前方から見た状態で示す斜視図、図２は同じく斜め後方から見た状態で示す斜視図であり、図示の表示具は図３にその展開図を示す一枚のブランクを組み立てて形成される。
【００１０】
ブランクＢは、所定の絵柄等が印刷された板紙を打ち抜いたものであり、図３に示すように、中央の表示領域１０とその両側の差込み領域２０，３０とにより構成されている。
【００１１】
表示領域１０は、中央部に前面パネル１１を有しており、その両側にそれぞれ折罫ａ，ｂを介して上面パネル１２と下面パネル１３が連接し、上面パネル１２には折罫ｃを介して後面上方パネル１４が連接し、下面パネル１３には折罫ｄを介して後面下方パネル１５が連接した形状になっている。また、図示のブランクＢでは、前面パネル１１に窓孔１６が設けられており、また前面パネル１１と一体になった突起部１７が上面パネル１２に食い込む形で切抜線αにより区画されている。
【００１２】
差込み領域２０は、表示領域１０の後面上方パネル１４に折罫ｅを介して連接し、相対する位置に一対の係止片２１を残した状態で差込み孔２２が形成された上側差込み板２３からなる。差込み領域３０は、表示領域１０の後面下方パネル１５に折罫ｆを介して連接し、後面下方パネル１５と一体となった係止片３１を残した状態で差込み孔３２が形成された下側差込み板３３からなる。
【００１３】
ブランクＢを組み立てて図１及び図２に示す表示具の形状にするには、折罫ａ〜ｄを山折りして表示領域１０により箱型の表示部１を形成するとともに、折罫ｅ，ｆを谷折りし、上側差込み板２３と下側差込み板３３を重ね合わせて差込み部２を形成する。この時、後面下方パネル１５と一体となった係止片３１が上側差込み板２３の差込み孔２２から上方に突き出た状態となる。また、上側差込み板２３の相対する一対の係止片２１を上向きに折り曲げておく。なお、図示の表示具では、差込み部２が表示部１の後側の中央より下から突き出るとともに、箱型の表示部１の後面が少し三角状に突き出た形状となる。
【００１４】
このように一枚のブランク１を折り曲げるだけで、箱型の表示部１とその後側から突き出る２枚重ねの差込み部２を有し、差込み部２にはボトル容器の首部が挿入可能な差込み孔３が設けられ、その差込み孔３の周りに上向きの係止片２１，２１，３１が設けられた表示具が形成される。また、図示の例では、表示部１の前面に窓孔１６が設けられたものになる。
【００１５】
図１及び図２に示す表示具をペットボトルＰの首部に取り付けた状態を図４に示す。表示具の差込み部２における差込み孔３をペットボトルＰのキャップＣを通して首部まで下げると、差込み孔３の周りにある上向きの係止片２１，２１，３１がキャップＣの下縁部分に引っ掛かった状態になるので、簡単には取れなくなる。この時、係止片２１，２１は上側差込み板２３の差込み孔２２の周りから突出し、係止片３１は下側差込み板３３の差込み孔３２の周りから突出しているが、表示部１の後面下方パネル１５は斜めになっていてペットボトルＰの肩に沿うので、取付け状態での表示具はその形状が安定する。
【００１６】
そして、表示部１は箱型であるので、その中に景品や試供品を収納させることができ、しかもそれが窓孔１６から見えることから、店頭等におけるアイキャッチ効果が優れたものとなる。また、さらに、前面上部に突起部１７が形成された状態になるので、この部分を利用してマークやキャラクターを目立たせることができる。
【００１７】
上記の表示具は、図４に示すように、ペットボトルＰの上部構造のスペースに合わせて設計してある。すなわち、ブランクＢの幅はペットボトルＰの幅と同じにしてあり、また差込み部２の後側も平面的にペットボトルＰから突き出ないようにしてある。また、表示部１は前方に若干突き出るが、前方から押されると平行四辺形のように変形し、融通がきくようになっている。このように、ペットボトルの上部構造のスペースを最大限に利用し、収納部の容量を保持しているので、店頭にて並べた際に表示具が邪魔になることがない。
【００１８】
【発明の効果】
請求項１に記載の発明である表示具は、ボトル容器の首部に取り付けて使用する板紙製の表示具であって、中央の前面パネルの両側にそれぞれ折罫を介して上面パネルと下面パネルが連接し、上面パネルには折罫を介して後面上方パネルが連接し、下面パネルには折罫を介して後面下方パネルが連接した形状になった表示領域と、表示領域の後面上方パネルに折罫を介して連接し、相対する位置に一対の係止片を残した状態で差込み孔が形成された上側差込み板からなる一方の差込み領域と、表示領域の後面下方パネルに折罫を介して連接し、後面下方パネルと一体となった係止片を残した状態で差込み孔が形成された下側差込み板からなる他方の差込み領域とを備えてなる一枚のブランクを折り曲げるだけで形成され、表示領域にある折罫をそれぞれ山折りすることで当該表示領域により形成された箱型の表示部と、表示領域と双方の差込み領域との間の折罫をそれぞれ谷折りすることで上側差込み板と下側差込み板により形成され前記表示部の後側から突き出る２枚重ねの差込み部とを有し、差込み部には上側差込み板の差込み孔と下側差込み板の差込み孔とが重なった状態でボトル容器の首部が挿入可能な差込み孔が設けられ、その差込み孔の周りには上側差込み板の差込み孔から突き出る２つの係止片と後面下方パネルと一体となった１つの係止片とからなる３つの上向きの係止片が設けられていることを特徴としているので、ブランクからの組立が簡単であり、またボトル容器の首部に取り付けた状態では係止片により盗難防止効果があるとともに、箱型の表示部の中に景品や試供品等を収納した状態で添付することができるという効果を奏する。
【００１９】
請求項２に記載の発明である表示具は、請求項１に記載の表示具において、差込み部を表示部の後側の中央より下から突き出るようにしたことを特徴としているので、上記の効果に加えて、表示部をより上方に位置させることにより、ボトル容器の前面上部へのかかりを少なくしてボトル容器の表示が隠れないようにすることができる。
【００２０】
請求項３に記載の発明である表示具は、請求項１又は２に記載の表示具において、表示部の前面に窓孔を設けたことを特徴としているので、上記の効果に加えて、添付した景品やサンプル等が外から見え、店頭でのアイキャッチ効果をさらに大きくすることができる。
【図面の簡単な説明】
【図１】本発明に係る表示具の一例を斜め前方から見た状態で示す斜視図である。
【図２】図１に示す表示具を斜め後方から見た状態で示す斜視図である。
【図３】図１及び図２に示す表示具を形成するためブランクの展開図である。
【図４】表示具の使用状態を示す斜視図である。
【符号の説明】
１  表示部
２  差込み部
３  差込み孔
１０  表示領域
１１  前面パネル
１２  上面パネル
１３  下面パネル
１４  後面上方パネル
１５  後面下方パネル
１６  窓孔
１７  突起部
２０  差込み領域
２１  係止片
２２  差込み孔
２３  上側差込み板
３０  差込み領域
３１  係止片
３２  差込み孔
３３  下側差込み板
Ｐ  ペットボトル
Ｃ  キャップ
【図１】
0004582604.tif 000002
【図２】
0004582604.tif 000003
【図３】
0004582604.tif 000004
【図４】
0004582604.tif 000005